(57)【要約】【課題】苗植付け条数の異なる田植機に対して薬剤散布装置の共用化を可能にし、そのためのコストアップを極力抑制できる安価な田植機の薬剤散布装置。【解決手段】拡散機構により薬剤を拡散散布する薬剤散布装置７が、田植機の苗植付け装置に取り付けられている田植機の薬剤散布装置で、薬剤散布装置７が、上下反転して取り付け可能な中間部材４６を介して苗植付け装置に取り付け自在に構成され、中間部材４６の上下反転による取り付けで薬剤散布装置７の取り付け高さを複数段に変更したり、拡散機構が、薬剤拡散用の回転羽根を備え、回転羽根を複数種のうちから選択使用し、または、回転羽根の回転数を複数段に変更することにより、薬剤散布装置７から散布される薬剤の散布幅が、苗植付け装置による苗の植付け条数に対応して複数段に変更できるように構成されている。【選択図】　　　　図５
2004089023.tif 000002
【特許請求の範囲】
【請求項１】
拡散機構により薬剤を拡散散布する薬剤散布装置が、田植機の苗植付け装置に取り付けられている田植機の薬剤散布装置であって、
前記薬剤散布装置が、上下反転して取り付け可能な中間部材を介して前記苗植付け装置に取り付け自在に構成され、その中間部材の上下反転による取り付けで前記薬剤散布装置の取り付け高さを複数段に変更することにより、前記薬剤散布装置から散布される薬剤の散布幅が、前記苗植付け装置による苗の植付け条数に対応して複数段に変更できるように構成されている田植機の薬剤散布装置。
【請求項２】
拡散機構により薬剤を拡散散布する薬剤散布装置が、田植機の苗植付け装置に取り付けられている田植機の薬剤散布装置であって、
前記拡散機構が、取り替え可能な薬剤拡散用の回転羽根を備え、その回転羽根を複数種のうちから選択使用することにより、前記薬剤散布装置から散布される薬剤の散布幅が、前記苗植付け装置による苗の植付け条数に対応して複数段に変更できるように構成されている田植機の薬剤散布装置。
【請求項３】
拡散機構により薬剤を拡散散布する薬剤散布装置が、田植機の苗植付け装置に取り付けられている田植機の薬剤散布装置であって、
前記拡散機構が、薬剤拡散用の回転羽根を備え、その回転羽根の回転数を複数段に変更することにより、前記薬剤散布装置から散布される薬剤の散布幅が、前記苗植付け装置による苗の植付け条数に対応して複数段に変更できるように構成されている田植機の薬剤散布装置。
【発明の詳細な説明】
【０００１】
【発明の属する技術分野】
本発明は、拡散機構により薬剤を拡散散布する薬剤散布装置が、田植機の苗植付け装置に取り付けられている田植機の薬剤散布装置に関する。
【０００２】
【従来の技術】
田植機の苗植付け装置には、例えば、４条植え、６条植え、８条植えのように、苗の植付け条数が異なる複数種のものがあり、薬剤散布装置から散布される薬剤の散布幅は、当然、その植付け条数に対応して異なることになる。
したがって、薬剤散布装置を製造するに際しては、苗植付け装置の植付け条数に対応する散布幅を有する複数種のものを製造しなければならず、それがコストアップの原因となる。
かかる問題を解決するには、苗植付け装置の植付け条数の如何にかかわらず、薬剤散布装置を共用化し、その薬剤散布装置から散布される薬剤の散布幅を変更できるように構成することが考えられる。
ところで、従来、薬剤の散布幅を変更できる薬剤散布装置として、薬剤散布装置の出口側に姿勢変更可能な薬剤用の案内装置を設け、その案内装置の姿勢変更によって薬剤の散布幅を変更できるように構成したものが知られている（例えば、特開平７−２０３８２９号公報参照）。
【０００３】
【発明が解決しようとする課題】
しかし、上記公報に記載の従来技術によれば、薬剤散布装置とは別に、薬剤用の案内装置が必要となり、しかも、その案内装置は、薬剤の散布幅を変更できるように姿勢変更可能でなければならず、かなり大掛かりな装置となる。
したがって、大掛かりな案内装置の必要性から、たとえ薬剤散布装置を共用化しても、共用化によるコストダウンの効果が薄れてしまうおそれがある。
【０００４】
本発明は、このような従来技術の問題点に着目したもので、その目的は、苗植付け条数の異なる田植機に対して薬剤散布装置の共用化を可能にし、しかも、そのためのコストアップを極力抑制して、安価な田植機の薬剤散布装置を提供することにある。
【０００５】
【課題を解決するための手段】
〔請求項１に係る発明の構成、作用、および、効果〕
【０００６】
請求項１に係る発明は、拡散機構により薬剤を拡散散布する薬剤散布装置が、田植機の苗植付け装置に取り付けられている田植機の薬剤散布装置であって、前記薬剤散布装置が、上下反転して取り付け可能な中間部材を介して前記苗植付け装置に取り付け自在に構成され、その中間部材の上下反転による取り付けで前記薬剤散布装置の取り付け高さを複数段に変更することにより、前記薬剤散布装置から散布される薬剤の散布幅が、前記苗植付け装置による苗の植付け条数に対応して複数段に変更できるように構成されていることを特徴とする。
【０００７】
請求項１の特徴構成によれば、拡散機構により薬剤を拡散散布する薬剤散布装置が、上下反転して取り付け可能な中間部材を介して苗植付け装置に取り付け自在に構成され、その中間部材の上下反転による取り付けで薬剤散布装置の取り付け高さを複数段に変更することにより、薬剤散布装置から散布される薬剤の散布幅が、苗植付け装置による苗の植付け条数に対応して複数段に変更できるように構成されているので、薬剤の散布幅を変更するための大掛かりな案内装置などを必要とせず、単に上下反転して取り付け可能な中間部材を使用するだけで、薬剤散布装置からの薬剤の散布幅を複数段に変更することができる。
したがって、苗植付け条数の異なる複数種の田植機に対して薬剤散布装置の共用化を図ることができるとともに、そのためのコストも安価に抑えることができ、所望どおりのコストダウンが可能となる。
【０００８】
〔請求項２に係る発明の構成、作用、および、効果〕
【０００９】
請求項２に係る発明は、拡散機構により薬剤を拡散散布する薬剤散布装置が、田植機の苗植付け装置に取り付けられている田植機の薬剤散布装置であって、前記拡散機構が、取り替え可能な薬剤拡散用の回転羽根を備え、その回転羽根を複数種のうちから選択使用することにより、前記薬剤散布装置から散布される薬剤の散布幅が、前記苗植付け装置による苗の植付け条数に対応して複数段に変更できるように構成されていることを特徴とする。
【００１０】
請求項２の特徴構成によれば、薬剤散布装置において薬剤を拡散散布する拡散機構が、取り替え可能な薬剤拡散用の回転羽根を備え、その回転羽根を複数種のうちから選択使用することにより、薬剤散布装置から散布される薬剤の散布幅が、苗植付け装置による苗の植付け条数に対応して複数段に変更できるように構成されているので、上述した請求項１の発明と同様に、大掛かりな案内装置などを必要とすることなく、複数種の回転羽根から適宜選択して使用するだけで、薬剤散布装置からの薬剤の散布幅を複数段に変更することができる。
したがって、苗植付け条数の異なる複数種の田植機に対して薬剤散布装置の共用化を図ることができるとともに、そのためのコストも安価に抑えることができ、所望どおりのコストダウンが可能となる。
【００１１】
〔請求項３に係る発明の構成、作用、および、効果〕
【００１２】
請求項３に係る発明は、拡散機構により薬剤を拡散散布する薬剤散布装置が、田植機の苗植付け装置に取り付けられている田植機の薬剤散布装置であって、前記拡散機構が、薬剤拡散用の回転羽根を備え、その回転羽根の回転数を複数段に変更することにより、前記薬剤散布装置から散布される薬剤の散布幅が、前記苗植付け装置による苗の植付け条数に対応して複数段に変更できるように構成されていることを特徴とする。
【００１３】
請求項３の特徴構成によれば、薬剤散布装置において薬剤を拡散散布する拡散機構が、薬剤拡散用の回転羽根を備え、その回転羽根の回転数を複数段に変更することにより、薬剤散布装置から散布される薬剤の散布幅が、苗植付け装置による苗の植付け条数に対応して複数段に変更できるように構成されているので、この場合にも、大掛かりな案内装置などを必要とせず、単に回転羽根の回転数を変更するだけで、薬剤散布装置からの薬剤の散布幅を複数段に変更することができ、したがって、苗植付け条数の異なる複数種の田植機に対して薬剤散布装置の共用化を図ることができるとともに、そのためのコストも安価に抑えることができ、所望どおりのコストダウンが可能となる。
【００１４】
【発明の実施の形態】
本発明による田植機の薬剤散布装置につき、その第１〜第３の実施の形態を図面に基づいて説明する。
第１〜第３の実施形態に共通する構成として、薬剤散布装置を備えた田植機は、図１に示すように、四輪駆動型の乗用式の走行機体１と、油圧シリンダ２で駆動される四連リンク機構３を介して走行機体１の後方に昇降自在に連結された苗植付け装置４を備え、走行機体１の後部には施肥装置５が搭載装備され、苗植付け装置４の後部には、取り付け部材６を介して薬剤散布装置７が取り付けられて構成されている。
【００１５】
苗植付け装置４としては、後に詳しく説明するように、例えば、４条植え、６条植え、８条植えのように、苗の植付け条数が異なる３種類の苗植付け装置があり、いずれの苗植付け装置４においても、走行機体１から軸伝達された作業用動力を受けるフィードケース８、苗を載置して横方向に往復移動される苗のせ台９、左右に並列配備された植付けケース１０、植付けケース１０の後部左右に装着された回転式の植付け機構１１、苗の植付け箇所を整地する整地フロート１２などを備えている。
施肥装置５は、顆粒状の肥料を収容する肥料ホッパ１３、肥料を所定量ずつ繰出す肥料繰出し機構１４、繰出された肥料を整地フロート１２に設けられた作溝器１５に導く供給ホース１６、供給ホース１６内に搬送風を供給して肥料を作溝器１５にまで風力搬送する電動ブロア１７などを備えている。
【００１６】
薬剤散布装置７は、取り付け部材６を介して苗植付け装置４に保持された散布ケース１８と、除草剤のような粉粒状の薬剤を収容するべく散布ケース１８の上方に取り外し自在に搭載された薬剤ホッパ１９を備え、第２図および第３図に示すように、散布ケース１８には、薬剤ホッパ１９に収容した薬剤を所定量ずつ繰出す薬剤繰出し機構２０や、繰出された薬剤を植付け幅に相当する横幅で苗の植付け跡に拡散散布する拡散機構２１などが内装されている。
薬剤ホッパ１９は、蓋カバー２２を備えたホッパ本体２３と、その下端に連結されたロートケース２４により構成され、ロートケース２４の中央後方箇所には、下向きに開口した薬剤流下口２５ａを有する単一の流下筒２５が連設されている。
【００１７】
薬剤繰出し機構２０は、薬剤流下口２５ａから供給される薬剤を目皿２６によって所定量ずつ繰出して拡散機構２１に供給するもので、目皿２６は、平面形状が扇形の厚肉樹脂材で形成され、その扇の要部位に圧入された支軸２７の軸心Ｐ周りで往復揺動自在に構成されるとともに、目皿２６の外周両端部近くには、上下に貫通する一対の繰出し孔２６ａが設けられている。
その目皿２６の要部位には、支軸２７の軸心Ｐと同心状に回転軸２８が固定され、回転軸２８に固定の扇形ギヤ２９が、ステッピングモータ３０の出力軸３０ａに固着のピニオンギヤ３１に噛み合っていて、ステッピングモータ３０の駆動によって、目皿２６が軸心Ｐ周りで往復揺動するように構成されている。
目皿２６の下方には、目皿２６の下面に摺接するバネ板材からなる遮蔽板３２が配設され、目皿２６が往復揺動することによって、遮蔽板３２との協働により、各繰出し孔２６ａ内に薬剤流下口２５ａからの薬剤を収容して、その薬剤を左右一対の流下案内部材３３の落下口３３ａから拡散機構２１へと落下供給するように構成されている。
【００１８】
その拡散機構２１は、散布ケース１８の内部に配置された左右一対の側板３４と周壁板３５により形成されて、下方後方に向けて開口する拡散室Ｓを備え、その拡散室Ｓの上方に流下案内部材３３の流下口３３ａが位置するように構成されている。
拡散室Ｓを形成する左右一対の側板３４には、回転軸３６が水平姿勢で回転自在に支架され、その回転軸３６が、散布ケース１８内に配置されたモータ３７の出力軸３７ａにベルト伝導装置３８を介して増速連動されて、モータ３７の駆動により一定方向に高速回転駆動されるように構成されている。
【００１９】
その回転軸３６のほぼ中央には、ボス部材３９が外嵌止着されるとともに、金属板を打ち抜いて形成された一対の薬剤拡散用の回転羽根４０，４１、つまり、図４に詳しく示すように、左方拡散用の回転羽根４０と右方拡散用の回転羽根４１とが、複数のボルト４２によって互いに背中合わせ状態でボス部材３９に取り付けられている。
各回転羽根４０，４１は、大きく屈曲傾斜された短い羽根４０ａ，４１ａと緩く屈曲傾斜された長い羽根４０ｂ，４１ｂをそれぞれ備えていて、短い羽根４０ａ，４１ａは、主として中央付近（近距離）での拡散を、長い羽根４０ｂ，４１ｂは、主として左右拡散範囲の外側（遠距離）での拡散を行うように構成されている。
そして、散布ケース１８の内部上方には、目皿駆動用のステッピングモータ３０や拡散機構駆動用のモータ３７の作動をはじめとして、田植機全体の作動を制御する制御装置４３を搭載した基板４４が配設されている。
【００２０】
以上が第１〜第３の実施形態に共通する構成であり、つぎに、その第１〜第３の実施形態について説明する。
【００２１】
〔第１の実施形態〕
第１の実施形態では、薬剤散布装置７を苗植付け装置４に取り付けるための取り付け部材６が、図５に示すように、苗植付け装置４側に固定された金属製のステー４５と上下反転して取り付け可能な中間部材４６を備えている。
中間部材４６は、図６に示すように、金属板などで形成され、ほぼ矩形の本体部４７と、その本体部４７の上下方向一端部から左右外方へ突出する一対の突片４８とを一体的に備え、本体部４７には、上下方向で位置を異ならせて左右一対の第１ナット４７ａと第２ナット４７ｂがそれぞれ溶接などにより固着され、左右一対の突片４８には、ボルト孔４８ａがそれぞれ２つずつ穿設されている。
第１と第２のナット４７ａ，４７ｂは、いずれか一方を選択し、ステー４５に穿設のボルト孔４５ａにボルト４９を挿通して選択したナットに螺合することにより、中間部材４６をステー４５に取り付けるためのものであり、突片４８に穿設のボルト孔４８ａは、ボルト・ナット５０により、中間部材４６を薬剤散布装置７の散布ケース１８に取り付けるためのものである。
【００２２】
この第１の実施形態によれば、図５の（イ）に示すように、中間部材４６の突片４８を下方に位置させた状態で、その突片４８のボルト孔４８ａを使用してボルト・ナット５０により、中間部材４６を散布ケース１８に取り付け、かつ、第１ナット４７ａを選択してボルト４９により、中間部材４６をステー４５に取り付けると、図７に示すように、４条植えの苗植付け装置４に対応して、薬剤散布装置７から散布される薬剤の散布幅が、４条の苗に適した幅に設定されるように構成され、図５の（ロ）に示すように、第２ナット４７ｂを選択して取り付けると、図８に示すように、６条植えの苗植付け装置４に対応するように構成されている。
【００２３】
そして、図５の（ハ）に示すように、中間部材４６を上下反転させ、突片４８を上方に位置させた状態で、ボルト孔４８ａを使用してボルト・ナット５０により、中間部材４６を散布ケース１８に取り付けるとともに、第１ナット４７ａを選択して中間部材４６をステー４５に取り付けることにより、図９に示すように、８条植えの苗植付け装置４に対応して、薬剤散布装置７からの薬剤の散布幅が、８条の苗に適した幅に設定されるように構成されている。
このように中間部材４６を上下反転して取り付けることで、薬剤散布装置７の取り付け高さを複数段に変更して、薬剤散布装置７から散布される薬剤の散布幅が、苗植付け装置４の植付け条数に対応して複数段に変更できるように構成されている。
【００２４】
〔第２の実施形態〕
第２の実施形態では、拡散機構２１を構成する一対の薬剤拡散用の回転羽根４０，４１として、図１０の（イ）〜（ハ）に示すように、比較的小さな４条用の回転羽根５１と、４条用よりも大きい６条用の回転羽根５２と、さらに、６条用よりも大きい８条用の回転羽根５３との３種類の取り替え可能な回転羽根が用意されていて、いずれかひとつの回転羽根を選択して、ボルト４２により回転軸３６のボス部材３９に取り付け自在に構成されている。
つまり、これら取り替え用の各回転羽根５１，５２，５３も、上述したように、主として中央付近（近距離）での拡散を行う短い羽根５１ａ，５２ａ，５３ａと、主として左右拡散範囲の外側（遠距離）での拡散を行う長い羽根５１ｂ，５２ｂ，５３ｂとをそれぞれ備えていて、それらの短い羽根５１ａ，５２ａ，５３ａと長い羽根５１ｂ，５２ｂ，５３ｂが、４条用よりも６条用の方が長く、さらに、６条用よりも８条用の方が長くなるように異なる長さに構成されている。
【００２５】
この第２の実施形態によれば、図１０の（イ）に示すように、４条用の回転羽根５１を選択使用することにより、図１１に示すように、４条植えの苗植付け装置４に対応して、薬剤散布装置７から散布される薬剤の散布幅が、４条の苗に適した幅に設定され、図１０の（ロ）に示すように、６条用の回転羽根５２を選択使用することにより、図１２に示すように、６条植えの苗植付け装置４に対応し、また、図１０の（ハ）に示すように、８条用の回転羽根５３を選択使用することにより、図１３に示すように、８条植えの苗植付け装置４に対応して、薬剤散布装置７からの薬剤の散布幅が、８条の苗に適した幅に設定されるように構成されている。
したがって、３種類の回転羽根５１，５２，５３を選択使用することにより、殊更、薬剤散布装置７の上下高さを変更することなく、薬剤散布装置７から散布される薬剤の散布幅を苗植付け装置４の植付け条数に対応して複数段に変更することができる。
なお、この第２の実施形態において、短い羽根５１ａ，５２ａ，５３ａと長い羽根５１ｂ，５２ｂ，５３ｂの長さを変えて４条用〜８条用に対応させる代わりに、各回転羽根５１，５２，５３の直径を変えて対応させたり、あるいは、各回転羽根５１，５２，５３の直径を変えるとともに短い羽根５１ａ，５２ａ，５３ａと長い羽根５１ｂ，５２ｂ，５３ｂの長さも変えて対応させることができる。
【００２６】
〔第３の実施形態〕
第３の実施形態では、基板４４に搭載された制御装置４３に対し、図１４に示すように、拡散機構駆動用モータ３７の回転数を設定指令する回転数設定スイッチ５４が設けられ、その回転数設定スイッチ５４からの指令に基づいて、制御装置４３が拡散機構駆動用モータ３７の回転数を４条用、６条用、および、８条用の３段階に切り換え変更して回転駆動するように構成されている。
すなわち、４条用の回転数に設定すると、薬剤拡散用の回転羽根４０，４１が４条に見合った回転数で回転し、薬剤散布装置７から散布される薬剤の散布幅が、４条の苗に適した幅に設定され、６条用の回転数に設定すると、４条用よりも高い回転数で回転して、６条植えの苗植付け装置４に対応し、また、８条用の回転数に設定すると、６条用よりも高い回転数で回転して、薬剤散布装置７からの薬剤の散布幅が、８条の苗に適した幅に設定され、したがって、薬剤散布装置７の上下高さを変更したり、回転羽根４０，４１を取り替える必要なく、薬剤散布装置７から散布される薬剤の散布幅を苗植付け装置４の植付け条数に対応して複数段に変更することができる。
【００２７】
〔別実施形態〕
（１）第１〜第３の実施形態では、薬剤散布装置７から散布される薬剤の散布幅を４条、６条、および、８条植えに対応するように３段に変更した例を示したが、２段に変更できるように構成したり、あるいは、４段以上に変更できるように構成して実施することもできる。
また、その薬剤散布幅の変更に関し、第１の実施形態では、薬剤散布装置７の高さ変更により、第２の実施形態では、薬剤拡散用回転羽根５１，５２，５３の選択使用により、また、第３の実施形態では、薬剤拡散用回転羽根４０，４１の回転数変更により対応した例を示したが、第１の実施形態と第２の実施形態そして／または第３の実施形態を組み合わせて実施することもできる。
例えば、薬剤散布装置７の高さ変更に加えて、薬剤拡散用回転羽根５１，５２，５３を選択使用して対応したり、さらに、その薬剤拡散用回転羽根５１，５２，５３の回転数を変更して対応するなど、第１〜第３の実施形態を適宜組み合わせて実施することもできる。
【００２８】
（２）第１〜第３の実施形態では、薬剤ホッパ１９、薬剤繰出し機構２０、および、拡散機構２１などを備えた薬剤散布装置７を示したが、薬剤散布装置７の具体的な構成については種々の変更が可能であり、また、薬剤繰出し機構２０や拡散機構２１の具体的な構成についても種々の変更が可能である。
【図面の簡単な説明】
【図１】薬剤散布装置付き田植機の側面図
【図２】薬剤散布装置の縦断側面図
【図３】薬剤散布装置の縦断背面図
【図４】薬剤拡散用回転羽根の分解斜視図
【図５】第１の実施形態による薬剤散布装置の側面図
【図６】第１の実施形態による中間部材の斜視図
【図７】第１の実施形態による薬剤散布装置の作用を示す背面図
【図８】第１の実施形態による薬剤散布装置の作用を示す背面図
【図９】第１の実施形態による薬剤散布装置の作用を示す背面図
【図１０】第２の実施形態による薬剤拡散用回転羽根の背面図
【図１１】第２の実施形態による薬剤散布装置の作用を示す背面図
【図１２】第２の実施形態による薬剤散布装置の作用を示す背面図
【図１３】第２の実施形態による薬剤散布装置の作用を示す背面図
【図１４】第３の実施形態による拡散機構駆動用モータの制御装置を示すブロック図
【符号の説明】
４　　　　　　　　苗植付け装置
７　　　　　　　　薬剤散布装置
２１　　　　　　　拡散機構
４０，４１　　　　薬剤拡散用の回転羽根
４６　　　　　　　中間部材
５１，５２，５３　取り替え可能な薬剤拡散用の回転羽根
【図１】
2004089023.tif 000003
【図２】
2004089023.tif 000004
【図３】
2004089023.tif 000005
【図４】
2004089023.tif 000006
【図５】
2004089023.tif 000007
【図６】
2004089023.tif 000008
【図７】
2004089023.tif 000009
【図８】
2004089023.tif 000010
【図９】
2004089023.tif 000011
【図１０】
2004089023.tif 000012
【図１１】
2004089023.tif 000013
【図１２】
2004089023.tif 000014
【図１３】
2004089023.tif 000015
【図１４】
2004089023.tif 000016